(57)【特許請求の範囲】
【請求項１】
包装袋内に内装された吊り下げ展示用商品(G)と、該商品(G)を吊り下げるフック体(F)とからなり、
吊り下げ展示用商品(G)が、上部開口で表裏の長さを長短に形成した包装袋(P)に被吊り下げ商品(g)が内装され、長尺側壁(a)が開口部上を覆って短尺側壁(b)上に折り返され、接着剤(c)を介して短尺側壁(b)上に接着されて封緘された商品(G)であって、
吊り下げフック体(F)が、一端側に吊り下げ用フック部(1)を有し、他端側に包装袋に穿孔された小孔への係止部(2)を有している合成樹脂製の単体成形品で、
前記係止部(2)が、フック部に連なる本体部分(3)から厚さ方向に向かって突出された支柱状脚部(4)と、その突出頂部から、前記フック部形成側とは反対側に向かって先細り形状に延出された小孔への挿入体(5)と、フック部形成側に向かって延出された小孔への係合突片(6)とを備え、
該吊り下げフック体(F)の挿入体(5)と係合突片(6)とが、展示用商品(G)の表背何れかの上下端部の近く位置であって、包装袋への装着姿勢においてフック部(1)が包装袋の周方向外側に突出可能な箇所に、予め穿孔された包装袋(P)の小孔(h)に対して挿入され、
これらの挿入体(5)と係合突片(6)とが包装袋(P)の内部に挿入された状態で前記脚部(4)を回転軸としてフック体(F)の全体が回転自在に包装袋(P)に装着されている
吊り下げ展示用商品。
【発明の詳細な説明】
【技術分野】
【０００１】
本発明は、例えば靴下や手袋・ハンカチのような軽量な商品を内装し封緘した包装袋を、当該包装袋そのものの片面に予め形成させたフック係止用穴を利用して、商品の包装後に、同小孔にフック体を後付け装着して、吊り下げ展示が可能な包装形態とするために用いる商品包装袋の吊り下げ展示用商品に関するものである。
【背景技術】
【０００２】
従来から、小物商品の販売に際して、商品包装袋を吊り下げ展示するために使用されるフック体は、各種各様のものが開発され使用されてきた。
【０００３】
このような小物商品吊り下げ用に使用されるフック体の多くは、例えば後記非特許文献１及び２に見られるように、小物商品を包装した袋の開口部を、厚紙を二つ折りしたトップカードで覆ってステープラ止めし、このトップカードの頂部に形成してあるフック連結用の開口に対して、フックの水平方向支持部を圧縮変形させて差し込み、差し込んだ支持部の復元力によって水平方向に復元させ、カード外部の平行部との間でカード開口部の両横部分を挟み込ませて固定するようにしたものである。
【０００４】
他方、例えば下記特許文献１及び非特許文献３に見られるように、前記のような、小物商品包装袋の上部に連結したトップカードの中央部に、吊り下げフック連結用の丸穴を貫通形成させ、この貫通丸穴に対してフックの係止部を貫通してトップカードの表裏を挟み込んで吊り下げるようにした吊り下げフックについても既に公知となっている。
【特許文献１】特許第３６７９３０９号公報
【非特許文献１】実公平１−３０１３０号公報
【非特許文献２】実公平２−２３８４７号公報
【非特許文献３】意匠第７６０２３２号公報
【発明の開示】
【発明が解決しようとする課題】
【０００５】
しかしながら、これらの先行文献に見られる商品吊り下げフックを含み、従来から長く使用されてきた小物商品の包装形態では、その大部分が商品包装袋の開口部をトップカードで封止するものとなっていたので、この封止連結に一工程を必要とし、このトップカードが包装商品全体に占める面積割合が大きく、見栄えの良いものではなく、トップカード自体の成形コストと取付コスト等が商品のコストアップに繋がり、無視することができないという問題を抱えていた。
【０００６】
そこで、本発明は、このような従来から長く使用されてきた小物商品の包装形態から、トップカードの使用を全面的に排斥し、トップカードなしで商品を透視可能な透明素材で包装し、トップカードが占めていた体積を無用なものとし、それでもなお、商品の吊り下げ展示を可能な形態とした新しい包装形態の吊り下げ展示用商品を提供しようとするものである。
【課題を解決するための手段】
【０００７】
この課題を解決するために講じた請求項１に記載の吊り下げ展示用商品の構成は、包装袋内に内装された吊り下げ展示用商品Ｇと、該商品Ｇを吊り下げるフック体Ｆとからなり、吊り下げ展示用商品Ｇが、上部開口で表裏の長さを長短に形成した包装袋Ｐに被吊り下げ商品ｇが内装され、長尺側壁ａが開口部上を覆って短尺側壁ｂ上に折り返され、接着剤ｃを介して短尺側壁ｂ上に接着されて封緘された商品Ｇであって、吊り下げフック体Ｆが、一端側に吊り下げ用フック部１を有し、他端側に包装袋に穿孔された小孔への係止部２を有している合成樹脂製の単体成形品で、前記係止部２が、フック部に連なる本体部分３から厚さ方向に向かって突出された支柱状脚部４と、その突出頂部から、前記フック部形成側とは反対側に向かって先細り形状に延出された小孔への挿入体５と、フック部形成側に向かって延出された小孔への係合突片６とを備え、該吊り下げフック体Ｆの挿入体５と係合突片６とが、展示用商品Ｇの表背何れかの上下端部の近く位置であって、包装袋への装着姿勢においてフック部１が包装袋の周方向外側に突出可能な箇所に、予め穿孔された包装袋Ｐの小孔ｈに対して挿入され、これらの挿入体５と係合突片６とが包装袋Ｐの内部に挿入された状態で前記脚部４を回転軸としてフック体Ｆの全体が回転自在に包装袋Ｐに装着されている構成としたものである。
【発明の効果】
【０００８】
本発明に使用する商品包装袋吊り下げフックは、商品包装袋への係止部を、フック部に連なる本体部分から厚さ方向に向かって突出させた支柱状脚部と、その突出頂部から、フック部形成側とは反対側に向かって先細り形状に延出された小孔への挿入体と、フック部形成側に向かって延出された小孔への係合突片とを備えていて、これらの挿入体と係合突片とを、吊り下げ展示用商品を包装した包装袋に穿孔されている小孔から包装袋の内部に挿入させて、脚部を軸として吊り下げフックの全体が回転自在に装着されるようにしてあるので、商品を内装した商品包装袋に事前に形成してある小孔に対して、フック体の本体部分を持って、挿入体を差し込むと同時に係合突片を押さえ込むというほぼワンタッチ操作で装着することができるという顕著な効果を有するものである。したがって、従来、商品の包装に必要であったトップカードを必要とすることなく、商品を包装袋に直接内装させて包装を完了させることができるので、機械による商品の自動包装が容易にでき、この商品包装後に吊り下げフックを装着すればよく、商品の箱内収納や展示に際してトップカードが占めていた体積を無用なものとすることができ、トップカードに要するコストと装着作業コストを確実に排除できるようにしてある。
【０００９】
請求項１に記載の本発明にいう吊り下げ展示用商品は、上記のように形成した吊り下げフックを使用して、展示用商品の表背何れかの上下端部近くの箇所に予め包装袋に穿孔させた小孔に対して、挿入体における先端側の部分と、係合突片におけるフック部側の部分とを、包装袋の内部に挿入させて、脚部を回転軸としてフック体の全体を回転自在に装着させてあるので、商品の梱包箱内への収納時には、フック体が包装袋の外側に突出しないようにして、恰もフック体が装着されていないような平面形態として、面積効率よく梱包することができるものでありながら、開梱後の展示に際して、吊り下げ展示が必要な場合には、脚部を回転軸としてフック体を回転させて、フック部を包装袋の外側に突出させることにより、吊り下げ展示商品として展示することができるという顕著な効果を期待することができる。
【発明を実施するための最良の形態】
【００１０】
本発明を実施するに当たって、フック体を成形する合成樹脂素材としては、例えばポリエチレンやポリプロピレンのようなポリオレフィン系の樹脂や、ポリエステル系の樹脂で成形することができるが、特に限定するものではないが、包装袋とともに廃棄される場合であっても、包装袋から取り外されて廃棄される場合であっても、フック体は小さいものであるため、そのままゴミとして廃棄されることが多いと思われるので、回収されてそのまま埋め立て地等に投棄されても、容易に分解されて自然に還る性質を備えているカーボンニュートラル系の生分解性樹脂を使用して成形するのが好ましい。
【００１１】
また、フック体の成形に当たっては、本体部分の厚さ方向において、支柱状脚部の形成箇所を除き、該支柱状脚部の突出頂部から延出形成させる挿入体と係合突片との形成箇所には、本体部分が存在しない形態のものとして、フック体を上下二面型または直立対向二面型によって効率よく成形することができる。
【実施例】
【００１２】
以下、本発明の実施例について図面と共に説明する。図１乃至図４は本発明の第１実施例のフック体を示す図であって、図１は背面図、図２はその右側面図、図３は正面図、図４は背面側から見た斜視図である。
【００１３】
該第１実施例に示したフック体Ｆは、ポリ乳酸系の生分解性樹脂を用いて射出成形した一体成形品であって、図において上側に、横向き開口の上下逆Ｕ字形とした掛止用フック部１が形成され、図において下側に、包装袋への係止部２が形成されている。この係止部２は、図２に見られるように、フック部１の下側に連なる本体部分３から、該本体部分３の背面側に向かって突出された支柱状脚部４の突出頂部から、図における下方に向かって延出した吊り下げ小孔への挿入体５と、該挿入体５の延出方向とは逆に、図における上方に向かって延出した吊り下げ小孔への係合突片６とを備えているものとしてある。
【００１４】
而して、この実施例に示したフック体Ｆは、前記支柱状とした脚部４を、図１において左右方向に沿わせた横方向分割線７で上下に二分割され、その下部側の分割脚部４２から前記挿入体５が連設され、上部側の分割脚部４１から前記係合突片６が連設されている構造としてある。このようにして、この横方向分割線７を介して、その上下部分を曲がり易いものとしておくと包装袋への装着を容易にできる利点がある。
【００１５】
更に、該実施例に示したフック体Ｆは、これら上下の分割脚部４１，４２とともに、同図１に見られるように、前記係合突片６の全体と、挿入体５の下端部を除くその余の部分とを、本体部分３の左右方向ほぼ中心線に沿った縦方向分割線８で左右に分割されている構造としてある。このようにして、縦方向分割線８を形成しておくことによって、係合突片６の全体と挿入体５の下端部を除く部分との左右方向における横幅を狭小化され易いものとして、包装袋の小孔への装着をより一層容易にできるようにしてある。なお、図１及び図４に記載の符号６ａは、係合突片６の成形のための抜き穴である。
【００１６】
図５及び図６は、使用状態の説明図であって、図５は包装袋を示す図、図６は被吊り下げ商品を内装した包装袋にフック体を装着した状態を示す図である。これらの図に示したように、前記構造としたフック体Ｆを吊り下げ展示用商品の包装袋に装着して使用するには、包装袋Ｐの構造を、図５に示したように、上部開口で表裏の長さを長短に形成したものを使用し、この包装袋Ｐに被吊り下げ商品ｇを内装し、長尺側壁ａを開口部上を覆って短尺側壁ｂ上に折り返して、予め接着させてあるか、包装直前に塗布した接着剤ｃを介して短尺側壁ｂ上に接着して封緘し、包装された展示用商品Ｇを形成する。
【００１７】
このようにして形成した展示用商品Ｇにおける表背何れかの片面で、上下何れかの端部近く位置であって、包装袋に前記構造のフック体Ｆを装着したとき、フック体Ｆにおけるフック部１を包装袋Ｐの周方向の外側に突出させることができる箇所に、予め包装袋に穿孔させた小孔ｈに対して、フック体Ｆにおける挿入体５を先端側から挿入し、支柱状脚部４が小孔ｈの周面に当たったところで、フック体Ｆを袋に対して壁面方向に押し付けて係合突片６を小孔ｈ内に移行させる。このようにして、フック体Ｆの挿入体５と係合突片６とを包装袋Ｐの内部に挿入させ、脚部４を回転軸としてフック体Ｆの全体が小孔ｈに対して回転できるように装着させる。
【００１８】
このようにして、包装袋Ｐの小孔ｈに対して、脚部４を回転軸としてフック体Ｆの全体が回転できるように装着させることによって、通常の包装状態や箱詰め状態では、フック体Ｆの全体が包装袋Ｐの平面内に存在するようにしておき、平積み展示に際してもこの状態のまま展示し、吊り下げ用フック棒等への吊り下げ展示に際しては、フック体Ｆを脚部４の回りに回転させて、フック部１を包装袋Ｐの外側に突出させて吊り下げ係止させることができるようにする。
【００１９】
図７及び８、図９及び１０は、前記第１実施例に示したフック体Ｆの変形構造についてそれぞれ背面図と正面図を示したもので、何れも本体部分３の厚さ方向において、支柱状脚部４の形成箇所を除いて、該支柱状脚部４の突出頂部から、それぞれ上下方向に向かって延出形成させた小孔ｈへの挿入体５と係合突片６との形成箇所を本体部分３が存在しない形態としたものである。即ち、図７及び８に示したフック体Ｆは、本体部分３の下方端が、挿入体５の連設基端と支柱状脚部４の周面との交差部分で終わる形状としたものであり、図９及び１０に示したフック体Ｆは、前記第１実施例に示したフック体Ｆにおける本体部分３の下端部分が、挿入体５の横幅に沿って支柱状脚部４の部分まで切除されている形状としたものである。なお、係合突片６の形成部分は、図１と同様に、抜き穴６ａとしてある。このような構造とすることによって、フック体Ｆを上下方向か直立対向姿勢かの二面型によって成形することができるようにしたものである。
【００２０】
図１１乃至図１５は、本発明の第２実施例のフック体を示した図であって、図１１はその背面図、図１２はその右側面図、図１３は正面図、図１４は背面側から見た斜視図、図１５は正面側から見た斜視図である。
【００２１】
該第２実施例として示したフック体Ｆは、前記第１実施例に示したフック体Ｆにおける上下の分割脚部４１，４２のそれぞれと、係合突片６と、挿入体５の先端部を除く部分とを上下方向に沿って左右に分割した縦方向分割線８を、図１３及び１５に見られるように、本体部分３を含めてフック体Ｆの厚さ方向に貫通する長孔８ａとしたものである。その使用方法は、前記第１実施例のフック体Ｆと同様にして使用する。このような構造としたフック体Ｆは、前記第１実施例に示したフック体Ｆに比して、包装袋に穿孔された小孔ｈへの装着時に、係合突片６と挿入体５との横幅を狭めて小孔ｈに挿入することができて、小孔ｈへの装着がし易いという利点がある。
【００２２】
而して、該第２実施例として示したフック体Ｆは、図１１，１２及び１４に見られるように、支柱状脚部４の突出部回りの本体部分３に、脚部４を軸心とする肉厚円形部３ａを形成したものとしてある。このようにしておくことによって、包装袋Ｐへの装着後における袋外面への主たる接触面をこの円形部３ａの面のみとすることができ、商品吊り下げ時におけるフック体Ｆの回転操作をより一層容易にできるようにしたものである。本発明にいうフック体Ｆは、このようにして実施することもできるものである。
【００２３】
以上本発明の代表例と思われる実施例について説明したが、本発明に使用するフック体は、これらの実施例に記載したもののみに限定されるものではなく、本発明にいう構成要件を備えていて、本発明にいう目的を達成し、本発明にいう効果を有する範囲内において適宜改変して実施することができるものである。
【産業上の利用可能性】
【００２４】
本発明に使用するフック体は、包装袋によって包装された吊り下げ展示可能な商品に対して、包装商品の包装袋の平面積内に位置する装着姿勢と、フック部分を包装袋の平面から外側に突出させて吊り下げ展示する姿勢とに変更使用することができるという、従来には存在しなかった新しい商品販売に供することができる点で大いに利用される可能性が高いと思われる。
【図面の簡単な説明】
【００２５】
【図１】第１実施例のフック体を示す背面図。
【図２】同右側面図。
【図３】同正面図。
【図４】同背面側から見た斜視図。
【図５】使用状態における包装袋を示す正面図。
【図６】使用状態を説明する包装商品の正面図。
【図７】フック体の変形構造を示す背面図。
【図８】同正面図。
【図９】フック体の別の変形構造を示す背面図。
【図１０】同正面図。
【図１１】第２実施例のフック体を示す背面図。
【図１２】同右側面図。
【図１３】同正面図。
【図１４】同背面側から見た斜視図。
【図１５】同正面側から見た斜視図。
【符号の説明】
【００２６】
１  フック部
２  係止部
３  本体部分
４  脚部
４１  分割脚部
４２  分割脚部
５  挿入体
６  係合突片
６ａ  抜き穴
７  横方向分割線
８  縦方向分割線
Ｆ  フック体
【図１】
0005179144.tif 000002
【図２】
0005179144.tif 000003
【図３】
0005179144.tif 000004
【図４】
0005179144.tif 000005
【図５】
0005179144.tif 000006
【図６】
0005179144.tif 000007
【図７】
0005179144.tif 000008
【図８】
0005179144.tif 000009
【図９】
0005179144.tif 000010
【図１０】
0005179144.tif 000011
【図１１】
0005179144.tif 000012
【図１２】
0005179144.tif 000013
【図１３】
0005179144.tif 000014
【図１４】
0005179144.tif 000015
【図１５】
0005179144.tif 000016